(57)【要約】【課題】補充容器の注水ノズルをインレットの奥まで挿し込んでも支障なくウォッシャ液の補充作業を行い得るウォッシャタンク用インレット構造を提供する。【解決手段】ウォッシャタンクにウォッシャ液６を注ぎ込むためのインレット４の最深部に、ウォッシャ液６の補充容器の注水ノズル７を挿し入れた時に該注水ノズル７と前記インレット４との間に隙間１０を形成する隙間形成手段として部分外嵌部１１を形成する。【選択図】図１
2012224141.tif 000002
【特許請求の範囲】
【請求項１】
ウォッシャタンクにウォッシャ液を注ぎ込むためのインレットの最深部に、ウォッシャ液の補充容器の注水ノズルを挿し入れた時に該注水ノズルと前記インレットとの間に隙間を形成する隙間形成手段を備えたことを特徴とするウォッシャタンク用インレット構造。
【請求項２】
インレットの最深部における最小断面部に、補充容器の注水ノズル外周と部分的に外嵌当接して該注水ノズルの周囲に隙間を確保する部分外嵌部を隙間形成手段として形成したことを特徴とする請求項１に記載のウォッシャタンク用インレット構造。
【請求項３】
インレットの最深部における最小断面部の手前に、補充容器の注水ノズル先端と部分的に干渉して該注水ノズルの最小断面部への嵌挿を阻む干渉部を隙間形成手段として形成したことを特徴とする請求項１に記載のウォッシャタンク用インレット構造。
【請求項４】
インレットの注水口の下側に、ウォッシャ液の逆流を堰き止める壁部を形成したことを特徴とする請求項１、２又は３に記載のウォッシャタンク用インレット構造。
【発明の詳細な説明】
【技術分野】
【０００１】
本発明は、ウォッシャタンク用インレット構造に関するものである。
【背景技術】
【０００２】
自動車のウォッシャタンクの形式は様々であるが、キャブオーバー型のトラック等においては、図９及び図１０に示す如く、助手席側のドアを開けた時に現れるインストルメントパネル１の側面に注水口２を設定して該注水口２をキャップ３で塞ぎ、この注水口２から斜め下方に向け徐々に先細り形状を成すインレット４を介してウォッシャタンク５にウォッシャ液６が補充されるようにしたものがある。
【０００３】
尚、ウォッシャタンク５の入口部５ａは、タンク上部からダクト状に立ち上がって前記インレット４の最深部に接続されており、該インレット４に注ぎ込まれたウォッシャ液６の全てがウォッシャタンク５に導かれるようになっている。
【０００４】
通常、ユーザーがディーラーやガソリンスタンド等でウォッシャ液６の補充を依頼した場合、これらの施設では、注水ノズル７を備えたジョッキタイプの補充容器８（図１０参照）が用いられており、この補充容器８の注水ノズル７を前記注水口２のキャップ３を開けてインレット４内に挿し込み、補充容器８を傾けてウォッシャ液６をウォッシャタンク５へと注ぎ込むようにしている。
【０００５】
尚、この種のウォッシャタンクに関連する先行技術文献情報としては下記の特許文献１等がある。
【先行技術文献】
【特許文献】
【０００６】
【特許文献１】特開平７−３５２１４号公報
【発明の概要】
【発明が解決しようとする課題】
【０００７】
しかしながら、一般的な補充容器８の注水ノズル７は、先細りの円管状を成すように形成されているため、注水ノズル７をインレット４の奥まで挿し込むと、該インレット４の最深部で注水ノズル７が前記インレット４の最小断面部９と隙間なく嵌合してしまい、ウォッシャタンク５内のエアが抜け難くなってウォッシャ液６の注水速度が遅くなることがあった。
【０００８】
尚、注水ノズル７をインレット４の奥まで挿し込まなければ特に問題はないが、そのような気遣いを行いながらウォッシャ液６の補充作業を行うのは煩わしく、しかも、ウォッシャ液６を勢い良く入れた場合にウォッシャ液６が注水口２側へ逆流し易くなる。
【０００９】
本発明は上述の実情に鑑みてなしたもので、補充容器の注水ノズルをインレットの奥まで挿し込んでも支障なくウォッシャ液の補充作業を行い得るウォッシャタンク用インレット構造を提供することを目的とする。
【課題を解決するための手段】
【００１０】
本発明は、ウォッシャタンクにウォッシャ液を注ぎ込むためのインレットの最深部に、ウォッシャ液の補充容器の注水ノズルを挿し入れた時に該注水ノズルと前記インレットとの間に隙間を形成する隙間形成手段を備えたことを特徴とするウォッシャタンク用インレット構造、に係るものである。
【００１１】
而して、このようにすれば、補充容器の注水ノズルをインレットの奥まで挿し込んだ際に、隙間形成手段により注水ノズルとインレットとの間に隙間が形成されてウォッシャタンク内のエアの逃げ道が確保されるので、ウォッシャ液の注水速度が遅くなる事態が未然に回避される。
【００１２】
しかも、注水ノズルをインレットの奥まで挿し込まないよう気遣う必要がなくなるので、ウォッシャ液の補充作業時における煩わしさが解消され、ウォッシャ液を勢い良く入れてもウォッシャ液が注水口側へ逆流する虞れが少なくなる。
【００１３】
また、本発明においては、インレットの最深部における最小断面部に、補充容器の注水ノズル外周と部分的に外嵌当接して該注水ノズルの周囲に隙間を確保する部分外嵌部を隙間形成手段として形成しても良く、更には、インレットの最深部における最小断面部の手前に、補充容器の注水ノズル先端と部分的に干渉して該注水ノズルの最小断面部への嵌挿を阻む干渉部を隙間形成手段として形成しても良い。
【００１４】
また、本発明においては、インレットの注水口の下側に、ウォッシャ液の逆流を堰き止める壁部を形成することも可能であり、このようにすれば、ウォッシャ液を勢い良く入れ過ぎて注水ノズルとインレットとの間の隙間から若干の逆流が生じたとしても、インレットの注水口で壁部によりウォッシャ液の逆流が堰き止められる。
【発明の効果】
【００１５】
上記した本発明のウォッシャタンク用インレット構造によれば、下記の如き種々の優れた効果を奏し得る。
【００１６】
（Ｉ）本発明の請求項１、２、３に記載の発明によれば、補充容器の注水ノズルをインレットの奥まで挿し込んでも、隙間形成手段により注水ノズルとインレットとの間に隙間を形成してウォッシャタンク内のエアの逃げ道を確保することができるので、ウォッシャ液を注水速度の低下を招かずに迅速に行うことができ、しかも、注水ノズルをインレットの奥まで挿し込まないよう気遣わなくて済むことによりウォッシャ液の補充作業時における煩わしさを解消することができ、ウォッシャ液を勢い良く入れてもウォッシャ液が注水口側へ逆流する虞れを大幅に低減することができる。
【００１７】
（ＩＩ）本発明の請求項４に記載の発明によれば、ウォッシャ液を勢い良く入れ過ぎて注水ノズルとインレットとの間の隙間から若干の逆流が生じたとしても、インレットの注水口で壁部によりウォッシャ液の逆流を堰き止めることができ、ウォッシャ液が注水口から溢れ出るような事態を確実に防止することができる。
【図面の簡単な説明】
【００１８】
【図１】本発明の第一形態例を示す断面図である。
【図２】図１のＩＩ−ＩＩ矢視の断面図である。
【図３】本発明の第二形態例を示す断面図である。
【図４】本発明の第三形態例を示す断面図である。
【図５】本発明の第四形態例を示す断面図である。
【図６】本発明の第五形態例を示す断面図である。
【図７】本発明の第六形態例を示す断面図である。
【図８】図７のＶＩＩＩ−ＶＩＩＩ矢視の断面図である。
【図９】ウォッシャ液の注水口の一例を示す斜視図である。
【図１０】従来構造の一例を説明する概略図である。
【発明を実施するための形態】
【００１９】
以下本発明の実施の形態を図面を参照しつつ説明する。
【００２０】
図１及び図２は本発明を実施する形態の一例を示すもので、図９及び図１０と同一の符号を付した部分は同一物を表わしている。
【００２１】
図１及び図２に示す本発明の第一形態例においては、ウォッシャタンク５（図１０参照）にウォッシャ液６を注ぎ込むためのインレット４の最深部に、ウォッシャ液６の補充容器８（図１０参照）の注水ノズル７を挿し入れた時に該注水ノズル７と前記インレット４との間に隙間１０を形成する隙間形成手段として部分外嵌部１１を形成している。
【００２２】
ここで、図１及び図２に図示されている例の場合、前記インレット４の最小断面部９の周方向一箇所に部分外嵌部１１が突起状に形成されており、しかも、インレット４の注水口２の下側に、ウォッシャ液６の逆流を堰き止める壁部１２を新たに形成した構造が採用されている。
【００２３】
尚、補充容器８の注水ノズル７の直径を約２０〜３０ｍｍ程度とした場合、注水ノズル７とインレット４との間に約０．５〜５ｍｍ程度の隙間１０が形成されるようにしておくことが好ましく、また、ウォッシャ液６の逆流を堰き止める壁部１２は、注水口２より１０ｍｍ奥のインレット４内側の最下面のポイントからの高さ寸法ｈが１０ｍｍ以上であることが好ましい。
【００２４】
而して、このようにインレット４の最深部に部分外嵌部１１を形成すれば、補充容器８の注水ノズル７をインレット４の奥まで挿し込んだ際に、前記部分外嵌部１１が前記注水ノズル７外周と部分的に外嵌当接して該注水ノズル７の周囲に隙間１０が形成され、ウォッシャタンク５内のエアの逃げ道が確保されるので、ウォッシャ液６の注水速度が遅くなる事態が未然に回避される。
【００２５】
しかも、注水ノズル７をインレット４の奥まで挿し込まないよう気遣う必要がなくなるので、ウォッシャ液６の補充作業時における煩わしさが解消され、ウォッシャ液６を勢い良く入れてもウォッシャ液６が注水口２側へ逆流する虞れが少なくなる。
【００２６】
また、インレット４の注水口２の下側に、ウォッシャ液６の逆流を堰き止める壁部１２を形成しているので、ウォッシャ液６を勢い良く入れ過ぎて注水ノズル７とインレット４との間の隙間１０から若干の逆流が生じたとしても、インレット４の注水口２で壁部１２によりウォッシャ液６の逆流が堰き止められる。
【００２７】
従って、上記第一形態例によれば、補充容器８の注水ノズル７をインレット４の奥まで挿し込んでも、部分外嵌部１１により注水ノズル７とインレット４との間に隙間１０を形成してウォッシャタンク５内のエアの逃げ道を確保することができるので、ウォッシャ液６を注水速度の低下を招かずに迅速に行うことができ、しかも、注水ノズル７をインレット４の奥まで挿し込まないよう気遣わなくて済むことによりウォッシャ液６の補充作業時における煩わしさを解消することができ、ウォッシャ液６を勢い良く入れてもウォッシャ液６が注水口２側へ逆流する虞れを大幅に低減することができる。
【００２８】
更に、ウォッシャ液６を勢い良く入れ過ぎて注水ノズル７とインレット４との間の隙間１０から若干の逆流が生じたとしても、インレット４の注水口２で壁部１２によりウォッシャ液６の逆流を堰き止めることができ、ウォッシャ液６が注水口２から溢れ出るような事態を確実に防止することができる。
【００２９】
尚、自動車用品店等でウォッシャ液６を購入してユーザーが自ら補充作業を行う際には、注水ノズル７のないボトルタイプの補充容器８でウォッシャ液６をインレット４に注ぎ込むケースもあり得るが、このような場合にも、インレット４の注水口２の下側に壁部１２が形成されていれば、安心してウォッシャ液６の補充を行うことができて便利である。
【００３０】
また、前述の第一形態例では、前記インレット４の最小断面部９の周方向一箇所に部分外嵌部１１が突起状に形成されていたが、図３に第二形態例を示す如く、周方向複数箇所（図示では三箇所）に部分外嵌部１１を突起状に形成しても良く、更には、図４に第三形態例を示す如く、周方向複数箇所（図示では二箇所）に溝部１３を形成して該溝部１３間に残る最小断面部９を部分外嵌部として前記溝部１３自体を隙間とすることも可能である。
【００３１】
また、図５に第四形態例を示す如く、インレット４の最深部における最小断面部９を楕円形の断面としたり、図６に第五形態例を示す如く、前記最小断面部９を長円形の断面としても良く、このようにした場合であっても、最小断面部９の一部を部分外嵌部として注水ノズル７外周に部分的に外嵌当接させて該注水ノズル７の周囲に隙間１０を確保することが可能となる。
【００３２】
更に、図７及び図８に第六形態例を示す如く、インレット４の最深部における最小断面部９の手前に、補充容器８の注水ノズル７先端と部分的に干渉して該注水ノズル７の最小断面部９への嵌挿を阻む干渉部１４を隙間形成手段として形成することも可能である。
【００３３】
このようにすれば、補充容器８の注水ノズル７をインレット４の奥まで挿し込んだ際に、前記干渉部１４が前記注水ノズル７先端と部分的に干渉して該注水ノズル７の最小断面部９への嵌挿を阻まれ、注水ノズル７とインレット４との間に隙間１０が形成されてウォッシャタンク５内のエアの逃げ道が確保されるので、ウォッシャ液６の注水速度が遅くなる事態が未然に回避され、先の図１及び図２の形態例と同様の作用効果を奏することができる。
【００３４】
尚、本発明のウォッシャタンク用インレット構造は、上述の形態例にのみ限定されるものではなく、本発明の要旨を逸脱しない範囲内において種々変更を加え得ることは勿論である。
【符号の説明】
【００３５】
２  注水口
４  インレット
５  ウォッシャタンク
６  ウォッシャ液
７  注水ノズル
８  補充容器
９  最小断面部
１０  隙間
１１  部分外嵌部（隙間形成手段）
１２  壁部
１３  溝部
１４  干渉部（隙間形成手段）
【図１】
2012224141.tif 000003
【図２】
2012224141.tif 000004
【図３】
2012224141.tif 000005
【図４】
2012224141.tif 000006
【図５】
2012224141.tif 000007
【図６】
2012224141.tif 000008
【図７】
2012224141.tif 000009
【図８】
2012224141.tif 000010
【図９】
2012224141.tif 000011
【図１０】
2012224141.tif 000012